(57)【要約】【課題】  補強糸が必要ではなく、パイル編成を行わないでも容易に部分的に厚みのある補強部分などを得ることができるようにする。【解決手段】  編地１の編成を、コース方向では交互に向きを変えて、ウエール方向では下から上の方向に進める場合、補強部分２は、周囲編地３内に形成される。補強部分２では、周囲編地３では編目列が２コース分編成されるような編成動作で、１コース分の編目列が編成される。補強部分２は、周囲編地３に対して、ウエール方向に縮む。編地がウエール方向に縮むことによって、ある程度厚みが増し、収縮性によって延びにくくなり、編地として安定する。形成される編地は、コース編成毎に編目列が形成される編地に比較して、パイル編みを行わなくても厚みが増すようにすることができ、延びにくくなるので、補強糸を使用しないでも補強の効果が得られる。【選択図】      図１
2006257563.tif 000002
【特許請求の範囲】
【請求項１】
よこ編みの編地に、部分的な厚みを形成する方法であって、
厚みを形成する部分を、予め定める複数の周期でコース編成を繰返す引返しで編成し、
各コース編成では、該複数よりも１少ない数の編目位置おきにニットで編目を形成して、中間の編目位置はミスとしておき、
該複数中の各コース毎にニットで編目を形成する編目位置を順次変えて、
該複数のコース編成でコース方向には１つの編目列を形成し、
形成される編目列の各編目位置の編目は、ウエール方向に隣接する編目列の対応する編目位置の編目と、ウエール方向にそれぞれ連結させるようにすることを特徴とする部分的に厚みのある編地の形成方法。
【請求項２】
前記厚みを形成する部分は、周囲の編地から部分的に浮上がるように、引返し編成で形成される部分の少なくとも一部であることを特徴とする請求項１記載の部分的に厚みのある編地の形成方法。
【請求項３】
前記厚みを形成する部分は、他の部分と、編目形成時の度目を変えることを特徴とする請求項１または２記載の部分的に厚みのある編地の形成方法。
【請求項４】
請求項１〜３のいずれか１つに記載の部分的に厚みのある編地の形成方法によって編成されていることを特徴とする編み製品。
【請求項５】
前記厚みを形成する部分は、人体に装着する際に、人体の凸状部位を覆う部分またはその周辺部分に設けられることを特徴とする請求項４記載の編み製品。
【発明の詳細な説明】
【技術分野】
【０００１】
本発明は、よこ編みの編地の一部を補強することなどのために行う部分的に厚みのある編地の形成方法および編み製品に関する。
【背景技術】
【０００２】
従来から、手袋や靴下などの編み製品は、よこ編みによる筒状の編地として編成されている。筒状編地をよこ編み組織で編成するためには、丸編機や平形の横編機が使用される。平形の横編機でも、前後に針床を備えていれば、周回編成で筒状編地を編成することができる。手袋や靴下などでは、一部を補強したり、厚くしたりすることも行われている。
【０００３】
手袋では、手の平や指を部分的に補強する技術が知られている（たとえば、特許文献１、２、３参照）。特許文献１では、手袋の最も破損し易い部分、または最も破損しやすい部分のうちの関節部分を除いた部分を、手袋全体を構成している主糸に、さらに補強糸を加えて編成して補強している。特許文献２では、補強部を、部分的に編糸を加えて編成し、編糸が表側となるようなプレーティング編成を行い、補強糸が手袋の内面に露出して肌ざわりが悪くなるのを防ぐようにしている。特許文献１、２のように、補強糸が付加される補強部は、補強糸が付加されている分だけ、編地としての厚さも大きくなる。特許文献３には、使用頻度が高い親指覆い部ならびに人差し指覆い部と、これらの間の股部付近を、他の部分よりも耐切削、耐摩耗強度の大なる糸を使って編成する作業用手袋が開示されている。
【０００４】
靴下は、人体の体重を支える部分に着用するので、補強が必要であることは当然である。靴下の底部の内面に、編成でパイル部分を形成し、Ｏ脚の矯正用などの用途・目的に応じて部分的に厚い編地部分を設ける技術も知られている（たとえば、特許文献４参照）。
【０００５】
【特許文献１】実用新案登録第３０５７９６７号公報
【特許文献２】特開２０００−８０５０６号公報
【特許文献３】特開２００３−３３０９号公報
【特許文献４】特開２００３−３０１３０４号公報
【発明の開示】
【発明が解決しようとする課題】
【０００６】
特許文献１〜３による手袋の補強方法では、主たる編地編成用の編糸とともに、補強糸を必要とする。特許文献４の技術を適用するためには、パイル編成可能な編機を必要とする。特許文献１，２では、補強糸を追加して補強する部分の厚みも増加する。編地の補強部分で厚みを持たせると、耐摩耗性やクッション性などを向上させることができる。したがって、特許文献３のような他の部分とは異なる糸を使って補強しても、厚みによる効果を得ることはできない。
【０００７】
本発明の目的は、補強糸が必要ではなく、パイル編成を行わないでも容易に厚みのある部分を得ることができる部分的に厚みのある編地の形成方法および編み製品を提供することである。
【課題を解決するための手段】
【０００８】
本発明は、よこ編みの編地に、部分的な厚みを形成する方法であって、
厚みを形成する部分を、予め定める複数の周期でコース編成を繰返す引返しで編成し、
各コース編成では、該複数よりも１少ない数の編目位置おきにニットで編目を形成して、中間の編目位置はミスとしておき、
該複数中の各コース毎にニットで編目を形成する編目位置を順次変えて、
該複数のコース編成でコース方向には１つの編目列を形成し、
形成される編目列の各編目位置の編目は、ウエール方向に隣接する編目列の対応する編目位置の編目と、ウエール方向にそれぞれ連結させるようにすることを特徴とする部分的に厚みのある編地の形成方法である。
【０００９】
また本発明で、前記厚みを形成する部分は、周囲の編地から部分的に浮上がるように、引返し編成で形成される部分の少なくとも一部であることを特徴とする。
【００１０】
また本発明で、前記厚みを形成する部分は、他の部分と、編目形成時の度目を変えることを特徴とする。
【００１１】
さらに本発明は、前述のいずれか１つに記載の部分的に厚みのある編地の形成方法によって編成されていることを特徴とする編み製品である。
【００１２】
また本発明で、前記厚みを形成する部分は、人体に装着する際に、人体の凸状部位を覆う部分またはその周辺部分に設けられることを特徴とする。
【発明の効果】
【００１３】
本発明によれば、よこ編みの編地に、部分的な厚みを形成するために、周期となる複数コースの編成で１コースの編目列を形成する。形成される編地は、コース編成毎に編目列が形成される編地に比較して、パイル編みを行わなくても厚みが増し、収縮性を有するようになるので、延びにくくなり、補強糸を使用しないでも補強の効果も得られる。
【００１４】
また本発明によれば、周囲の編地から部分的に浮上がるよう編成される編地の少なくとも一部に、厚みが増し、収縮性を有して補強の効果も得られる部分を設けるので、浮上がる部分の耐久性を増すとともに、しわになりにくくすることができる。
【００１５】
また本発明によれば、厚みを形成する部分の編目形成時の度目を他の部分と変えて、厚くする程度を調整することができる。
【００１６】
さらに本発明によれば、厚みの形成が必要な部分に編成で部分的な厚みを形成することができ、厚みの形成部分と他の部分との外観上の違いを少なくすることができる。
【００１７】
また、本発明によれば、人体の凸状部位、たとえば靴下の踵やくるぶしを覆う部分またはその周辺部分を厚くするので、凸状部位を容易に補強することができるばかりではなく、凸状部分の保護を行うサポータとしての機能を発揮させることができる。
【発明を実施するための最良の形態】
【００１８】
図１は、本発明の実施の一形態としての部分的に厚みのある編地の形成方法を、横編機に適用して編地の一部に厚みを形成して補強する場合に、編成のコース毎に使用する編針について示す。図１では、「○」印はニットする編針を示し、「−」印はミスする編針を示す。編地１のうち、補強部分２は、１つの編成コースで、編針の１本おきにニットし、中間の編針はミスする。次の編成コースでは、前の編成コースでミスした編針にニットし、前の編成コースでニットした編針ではミスする。したがって、補強部分２では、２つの編成コースで、編目列としては１コース分が編成される。
【００１９】
編地１の編成を、矢印で示すように、図の横方向となるコース方向では交互に向きを変えて、図の縦方向となるウエール方向では下から上の方向に進める場合、補強部分２は、周囲編地３内に形成される。補強部分２では、周囲編地３では編目列が２コース分編成されるような編成動作で、１コース分の編目列が編成される。形成される編目の形状は、平編み（天竺編み）と同様であるけれども、コース方向には、隣接する編目ではなく、１つおきの編目が連結される。このような編地として形成される補強部分２は、周囲編地３に対して、ウエール方向に縮むことになる。編地がウエール方向に縮むことによって、ある程度厚みが増し、収縮性によって延びにくくなり、編地として安定する。したがって、形成される編地は、コース編成毎に編目列が形成される編地に比較して、パイル編みを行わなくても厚みが増すようにすることができる。また、補強部分２は、収縮性を有するようになるので、延びにくくなり、補強糸を使用しないでも補強の効果が得られる。
【００２０】
なお、補強部分２と周囲編地３との編目列でのコース数の比率は、１：２ばかりではなく、他の比率に変えることもできる。一般化して、ｎを２以上の整数とすると、補強部２ではｎ−１本おきの編針にニットし、中間の編針をミスにする編成をｎコース行い、各コースでニットする編針の位置をずらすようにすればよい。
【００２１】
図２は、横編機で、図１に示すような編針の選択を伴って、補強部分２と周囲編地３とを編成する状態を、一部の編成コースについて示す。両側のＡ，Ｃの部分で周囲編地３を編成し、中間のＢの部分で補強部分２を編成するものとする。
【００２２】
図２に示す部分のうちの最初の編成コースＣ１では、区間Ａを全部の編針にニットして編成し、区間Ｂは、１本おきに編針をニットで使用して、中間の編針はミスするように編成を行う。次のコースＣ２では、区間Ｂを、コースＣ１ではミスした編針にニットし、ニットした編針にはミスするようにして、コースＣ１とは逆方向に編成する。次のコースＣ３では、再度編成する方向を逆転させ、区間Ｂを、コースＣ１と同様に編成して、次の区間Ｃは全ての編針にニットして編成する。次のコースＣ４では、編成する方向を逆転させ、区間Ｃを全ての編針にニットして編成し、区間ＢはコースＣ２と同様に編成し、区間Ａは全ての編針にニットして編成する。
【００２３】
以下、コースＣ１〜Ｃ４のような周期での編成を繰返す。この結果、補強部分２と周囲編地３とでは、２コース分の編目列が形成される。補強部分２は、引返し編成で、周囲編地３の２倍のコース数の編成を行うけれども、編目列の数は編成のコース数の半分になる。
【００２４】
図３は、本発明の実施の他の形態として、部分的に厚みのある編地の形成方法を、横編機に適用し、編地の一部に厚みを形成して補強する場合に、編成のコース毎に使用する編針について示す。図１と同様に、「○」印はニットする編針を示し、「−」印はミスする編針を示す。編地５のうち、補強部分６は、先行編地７と後行編地８との間に、引返し編成で形成される。形成される補強部分６の編目組織は、図１の補強部分２と基本的に同様である。
【００２５】
編成の過程で、図では補強部分６の左下側に示される境界６ａは、先行編地７の最終コースの左側部分７ａと接合される。また、補強部分６の右下側に示される境界６ｂは、先行編地７の最終コースの右側部分７ｂと接合される。補強部分６の左上側に示される境界６ｃは、後行編地８の最初のコースの左側部分８ａに接合される。補強部分６の右上側に示される境界６ｄは、後行編地８の最初のコースの右側部分８ｂに接合される。この結果、補強部分６の中間の部分は、先行編地７および後行編地８によって形成される周囲編地から浮上がるので、編地５の表面から膨らむ部分となる。
【００２６】
図４、図５および図６は、図１および図３に示す補強部分２および補強部分６を有する編み製品としての靴下１０の外観構成を示す。図４は側面から、図５は上面から、図６は底面から見た状態をそれぞれ示す。靴下１０は筒状の編地として編成される。筒状の編地は、丸編機や、前後に針床を備える横編機で編成することができる。前後に針床を備える横編機では、周回編成を繰返すことによって筒状編地が編成される。補強部分２を周回編成で編成する場合、コースＣ２のような逆方向の編成は針床の一部の区間で行うだけにして、針床全体を使用する図２のコースＣ４は、コースＣ１と同方向とすればよい。
【００２７】
靴下１０で補強部分２は、足の甲の親指付近に設けられる。このような補強部分２は、靴下１０の着用者に外反母趾が生じている場合に、膨らんでいる部分に対してクッション性がよくなり、負担を軽減することができる。外反母趾の保護のための補強部分２は、親指の側方に設ける必要があるので、図示するような５本指や２本指に、足先が別れている靴下に好適に適用することができる。
【００２８】
靴下１０の補強部分６は、踵の部分に形成され、体重がかかる部分の耐久性を増し、クッション性を良好にすることができる。このような補強部分６は、踵の部分全体に形成するばかりではなく、端部６ｘ，６ｙにのみ形成することもできる。補強部分６を踵の部分全体に形成すれば、良好なクッション性を発揮させることができる。端部６ｘ，６ｙのみを補強するようにすれば、先行編地７と後行編地８との境界で踵として膨らます編地を引返し編成で形成することに由来するしわの発生を抑制することができる。端部６ｘ，６ｙを除く踵の他の部分は、平編みなど、先行編地７や後行編地８と同様に編成して、全体を補強部分６とする場合よりも延びやすくすることができる。
【００２９】
図７は、図６に示すように、補強部分６のうちの端部６ｘ，６ｙのみをコース数を少なくしてたるみを防止するような編地の編成状態を示す。補強部分６は、先行編地７と後行編地８との間に引返し編みで編幅を増減させながら編成される。まず、先行編地７の最終コースの中間の編目から補強部分６の編成を開始し、引返し編みで順次編幅を増加させるとともに、境界６ａ，６ｂの編目と最終コースの左側部分７ａおよび右側部分７ｂの編目とをそれぞれ接合しながら、平編みで編成する。補強部分６を編成するコースに端部６ｘ，６ｙが含まれるようになると、端部６ｘ，６ｙについてのみ、前述のようなミスとニットとを交互に繰返す編成が行われる。引返し編みで編幅を増やしながら補強部分６としての最大編幅のコースまで編成すると、コース毎に編幅を順次的に減少させ、境界６ｃ，６ｄを形成する。端部６ｘ，６ｙを除く部分は、平編みで編成する。補強部分６の最終コースを編成すると、後行編地８の最初のコースの左側部分８ａと右側部分８ｂとを、境界６ｃ，６ｄにそれぞれ接合させながら編成する。端部６ｘ，６ｙは、平編みで編成される中間部に比較して少ないコース数で先行編地７の最終コースと後行編地８の最初のコースに接合される局所的な箇所であり、結果的に厚みを持たせることによって、効果的なしわ防止を行うことができる。
【００３０】
なお、外反母趾用の補強部分２と踵の補強部分６，６ｘ，６ｙとは、一方のみを形成してもよいことはもちろんである。とくに踵の補強部分６，６ｘ，６ｙは、足先が別れていない先丸形状の靴下など、靴下一般に設けることができる。
【００３１】
以上で説明している補強部分２，６は、ある程度の厚みと収縮性を有するので、着用する人体の部位などを保護するサポート性も良好に得られる。したがって、靴下ばかりではなく、手袋や、肘、膝等のサポータにも適用可能である。また、平編みの編地などに比較して、編地の表面が滑らかで、すべすべしている編地が得られる。この編地は、多少厚みのある質感と、適度な伸縮性を有するのが特徴である。また、編地が安定しており、しわになりにくい。このため、たとえば、人体の凸状部位、例えば靴下の踵やくるぶしを覆う部分またはその周辺部分を補強するので、凸状部位を容易に補強することができるばかりではなく、凸状部分の保護を行うサポータとしての機能を発揮させることができる。さらに、本発明を適用すれば、質感の良好な厚みが得られるので、必ずしも補強用ばかりではなく、たとえば婦人用の編み製品で、バストを覆う部分を膨らませて編成するような場合にも、好適に用いることができる。
【図面の簡単な説明】
【００３２】
【図１】本発明の実施の一形態としての部分的に厚みのある編地の形成方法を、横編機に適用し、編地の一部に厚みを形成して補強する場合に、編成のコース毎に使用する編針について示す図である。
【図２】横編機で、図１に示すような編針の選択を伴って、補強部分２と周囲編地３とを編成する状態を、一部の編成コースについて示す図である。
【図３】本発明の実施の他の形態として、部分的に厚みのある編地の形成方法を、横編機に適用し、編地の一部に厚みを形成して補強する場合に、編成のコース毎に使用する編針について示す図である。
【図４】図１および図３に示す補強部分２，６を形成した編み製品としての靴下１０を示す側面図である。
【図５】図４の靴下１０の平面図である。
【図６】図４の靴下１０の底面図である。
【図７】図６に示すように、端のみに補強部分６ｘ，６ｙを編成する場合の編地の構成を示す図である。
【符号の説明】
【００３３】
２，６，６ｘ，６ｙ  補強部分
３  周囲編地
７  先行編地
８  後行編地
１０  靴下
【図１】
2006257563.tif 000003
【図２】
2006257563.tif 000004
【図３】
2006257563.tif 000005
【図４】
2006257563.tif 000006
【図５】
2006257563.tif 000007
【図６】
2006257563.tif 000008
【図７】
2006257563.tif 000009